(57)【要約】【課題】  低圧地中配線ケーブルの幹線から分岐された引込線を分岐する低圧分岐装置において、引込口配線が分岐ボックスの前方へ突出する不都合を回避し、ヒューズの収容スペースを十分に確保し、また軽量化を図る。【解決手段】  地表に立設された鋼管１０と、この鋼管１０の上端部に固定されて略直方体形状の収容空間αを有する分岐ボックス３とを有し、分岐ボックス３の底部１１ａの長手方向で略対称となる２箇所に同形の通孔１３ａ，１３ｂを形成し、一方の通孔に鋼管１０を固定可能とし、他方の通孔を介して引込口配線４，５を挿通可能とし、鋼管１０に入線された引込線２を収容空間αにおいて引込口配線４，５と直接又はヒューズ１５を介して接続し、引込線２との接続をかしめ金具１７による圧着又は圧縮にて行う。【選択図】        図２
2006101582.tif 000002
【特許請求の範囲】
【請求項１】
低圧地中配線ケーブルの幹線から分岐された引込線を分岐する低圧分岐装置であって、地表に立設された鋼管と、この鋼管の上端部に固定され、所定方向に延びる底部を備えると共にこの底部に臨む収容空間を備えた分岐ボックスとを有し、前記分岐ボックスの底部の長手方向で略対称となる２箇所に同形の通孔を形成し、一方の通孔に前記鋼管を固定可能とし、他方の通孔を介して引込口配線を挿通可能とし、前記鋼管に入線された前記引込線を前記収容空間において前記引込口配線と直接又はヒューズを介して接続すると共に前記引込線との接続をかしめ金具による圧着又は圧縮にて行うようにしたことを特徴とする低圧分岐装置。
【請求項２】
前記鋼管は前記一方の通孔に該鋼管に螺合された一対の固定リングで前記通孔周縁を挟み込むことで固定可能とし、前記引込口配線は前記他方の通孔に取り付
けられたブッシングを介して挿通させることを特徴とする請求項１記載の低圧分岐装置。
【請求項３】
前記分岐ボックスは、前記通孔が形成された底部を有するベース部材とこのベース部材に着脱可能に取り付けられるカバー部材とにより構成されることを特徴とする請求項１記載の低圧分岐装置。
【請求項４】
前記分岐ボックスの背面には、壁面固定用部材が設けられることを特徴とする請求項１記載の低圧分岐装置。
【発明の詳細な説明】
【技術分野】
【０００１】
この発明は、低圧地中配線ケーブルの幹線から分岐された引込線を地上に設置された分
岐箇所に引き込んで分岐するために用いる低圧分岐装置に関する。
【背景技術】
【０００２】
近年、配電線の地中化工事の要請が増加しており、低圧地中配線ケーブルの幹線から分岐された引込線と需要家の引込口配線（屋側配線）との接続、分岐は、家屋などの壁面に固定された分岐ボックスに地中から引込線を引込み、この分岐ボックス内で行なうようにしている場合が多い。このような引込線は、単相３線式、三相４線式による配電方式が一般的であり、例えば、図６に示されるように、低圧幹線１から分岐した引込線２の配電方式が三相４線式である場合には、電灯負荷に対して単相３線回路４を接続し、動力負荷に対して三相３線回路５を接続するように引込線２が分岐ボックス３で分岐される。
【０００３】
ところが、従来用いられていた分岐ボックス３は、内部にケーブル同士を接続する金属性の接続端子バーが配設されており、分岐ボックス３の総重量が重くなり、トタン壁などの支持力の弱い壁には固定が困難になる不都合があった。このため、従来においては、下記する非特許文献１及び２に示されるような低圧分岐装置が考えられている。
【０００４】
これは、需要家の側部で鋼管を立ち上げ、その先端部にジョイントボックス台座を取り付け、鋼管の管路に引込線を入線してジョイントボックス台座の上方へ引き出し、また、ジョイントボックス台座の側面に形成された通孔を介して引込口配線を挿入し、ジョイントボックス台座の上方で、引込線と引込口配線とをＣ型コネクタにより圧着又は圧縮接続し、接続部分に絶縁を施した上で、円筒状のジョイントボックスカバーを被せて封印を施すようにしたものである。このような構成においては、接続端子バーが不要となるので軽量化が図れ、また、家屋の壁面に分岐ボックスを直接固定する必要がなくなるので、家屋に与える影響がない等の利点を有する。
【０００５】
【非特許文献１】森真也，井出昌行，［低コスト屋側分岐箱の開発」，電気現場技術，電気情報社，１９９９年 5月，ｐ．７０−７２
【非特許文献２】“屋側ジョイントボックス”、［online] 、大阪ヒューズ株式会社、［平成１６年７月８日検索] 、インターネット(http://www.fuse.co.jp/fuse/fuse05 ＿０３.html)
【発明の開示】
【発明が解決しようとする課題】
【０００６】
しかしながら、上述した構成においては、引込口配線がジョイントボックス台座の側面に形成された通孔を介して挿通される構成であるので、引込口配線が分岐ボックスから前方へ突出するなど、壁面に沿わして配線することが困難となり、見栄えが悪くなったり、近くを通行する際に引っ掛けるなどの不都合が生じる。
【０００７】
また、引込線の分岐部分には、必要に応じてヒューズが配され、特に三相４線式の配電方式にあっては、図６に示されるように、最大５ケのヒューズ１５を設ける必要があるので、上述した構成においては、分岐ボックスの収容空間が細長い円柱形状に形成されているため、ヒューズの収容スペースを十分に確保することが困難になる不都合もある。
【０００８】
そこで、この発明においては、引込口配線が分岐ボックスの前方へ突出する不都合を回避すると共に、ヒューズの収容スペースを十分に確保することができ、更には、軽量化を図ると共に家屋に与える影響を皆無又は低減することが可能な低圧分岐装置を提供することを主たる課題としている。
【課題を解決するための手段】
【０００９】
上記課題を達成するために、この発明にかかる低圧分岐装置は、低圧地中配線ケーブルの幹線から分岐された引込線を分岐する装置であって、地表に立設された鋼管と、この鋼管の上端部に固定され、所定方向に延びる底部を備えると共にこの底部に臨む収容空間を備えた分岐ボックスとを有し、前記分岐ボックスの底部の長手方向で略対称となる２箇所に同形の通孔を形成し、一方の通孔に前記鋼管を固定可能とし、他方の通孔を介して引込口配線を挿通可能とし、前記鋼管に入線された前記引込線を前記収容空間において前記引込口配線と直接又はヒューズを介して接続すると共に前記引込線との接続をかしめ金具による圧着又は圧縮にて行うようにしたことを特徴としている（請求項１）。ここで、所定方向に延びる底部に臨む収容空間を備えた分岐ボックスは、いろいろな形状のバリエーションが考えられるが、例えば、略直方体形状の収容空間を有する分岐ボックスであってもよい。
【００１０】
したがって、分岐ボックスを鋼管の上端部に固定するようにしたので、家屋の壁面に分岐ボックスを付設する必要がなくなり、家屋の壁面に負荷を与えることがなくなる。また、分岐ボックスに所定方向に延びる底部に臨む収容空間を設けたので、ヒューズを収容する空間を十分に確保することが可能となる。さらに、引込線と引込口配線とをかしめ金具により接続するようにしたので、従来分岐ボックス内に設けられていた金属性の接続端子バーが不要となり、軽量化を図ることが可能となる。
【００１１】
また、分岐ボックスの底部の長手方向で略対称となる２箇所に同形の通孔を形成し、一方の通孔に鋼管を固定可能とし、他方の通孔を介して引込口配線を挿通可能としたので、引込口配線の引出方向に応じて、鋼管を接続する通孔と引込口配線を挿通させる通孔とを逆にすることが可能となり、また、引込口配線は、分岐ボックスの底部に形成された通孔を介して引き出されるので、引込口配線が分岐ボックスの前方へ突出するように引き回されることがなくなり、壁面に沿わすことが可能となる。
【００１２】
尚、上述の構成において、鋼管は一方の通孔に該鋼管に螺合された一対の固定リングで通孔周縁を挟み込むことで固定可能とし、引込口配線は他方の通孔に取り付けられたブッシングを介して挿通させるようにしてもよい（請求項２）。
【００１３】
このような構成においては、配管固定用に利用する通孔と、引込口配線の挿通用に利用する通孔とを逆にする場合に、固定リングで挟み込む通孔とブッシングを付ける通孔とを逆にすることで対応することが可能となる。
【００１４】
また、前記分岐ボックスは、通孔が形成された底部を有するベース部材とこのベース部材に着脱可能に取り付けられるカバー部材とにより構成されるようにするとよい（請求項３）。このような構成によれば、カバー部材を取り外すことにより、引込線や引込口配線の接続作業、ヒューズの交換作業などが容易となる。
【００１５】
さらに、上述の構成において、分岐ボックスの背面に壁面固定用部材を設けるようにしてもよい（請求項４）。このような構成によれば、分岐ボックスを鋼管の先端部に固定して家屋の壁面に固定しない構成を原則としつつ、設置箇所の状況に応じて、分岐ボックスを家屋の壁面に固定することも可能となり、このような場合においても、分岐ボックス全体の重量は軽量化されているので、壁面にかかる負荷を小さくすることが可能となる。
【発明の効果】
【００１６】
以上述べたように、請求項１に係る発明によれば、分岐ボックスを鋼管の上端部に固定するようにしたので、分岐ボックスを直接建物の壁面に固定する必要が無くなり、家屋に影響を与えることが無くなる。また、分岐ボックスに所定方向に延びる底部に臨む収容空間を備えたので、ヒューズを収容する空間を十分に確保することが可能となり、引込線との接続をかしめ金具による圧着又は圧縮にて行なうようにしたので、軽量化を図ることが可能となる。
【００１７】
さらに、分岐ボックスの底部の長手方向で略対称となる２箇所に同形の通孔を形成し、一方の通孔に鋼管を固定可能とし、他方の通孔を介して引込口配線を挿通可能としたので、設置箇所に応じて引込口配線の引き出し方向を変更することが可能となり、また、引込口配線を分岐ボックスの前方へ突出させることなくを家屋の壁面に沿わして配線することが可能となるので、見栄えがよくなると共に、近くを通行する際に引っ掛ける不都合もなくなる。
【００１８】
請求項２に係る発明によれば、鋼管を一方の通孔に該鋼管に螺合された一対の固定リングで通孔周縁を挟み込むことで固定可能とし、引込口配線を他方の通孔に取り付けられたブッシングを介して挿通させるようにしたので、配管固定用に利用する通孔と、引込口配線の挿通用に利用する通孔とを逆にする場合でも、固定リングで挟み込む通孔とブッシングを取り付ける通孔とを逆にすることで対応することが可能となり、施行方法、使用機材の統一化を図ることが可能となる。
【００１９】
請求項３に係る発明によれば、分岐ボックスは、通孔が形成された底部を有するベース部材とこのベース部材に着脱可能に取り付けられるカバー部材とにより構成されるので、カバー部材の取り外しにより、引込線や引込口配線の接続作業、ヒューズの交換作業を行なうことが可能となり、現場での作業が容易となる。
【００２０】
請求項４に係る発明によれば、分岐ボックスの背面に壁面固定用部材を設けるようにしたので、必要に応じて分岐ボックスを家屋の壁面に固定することも可能となり、このような場合においても、分岐ボックスの軽量化が図られているので、家屋の壁面に与える影響を少なくすることが可能となる。
【発明を実施するための最良の形態】
【００２１】
以下、この発明の最良の実施形態を添付図面を参照しながら説明する。
【００２２】
図１及び図２において、本発明に係る低圧分岐装置を、三相４線式の配電方式を用いて需要家に電力を供給する場合に適用した構成例、即ち、低圧幹線から分岐された引込線を、電灯負荷に対して単相３線式により電力を供給し、動力負荷に対して三相３線式により電力を供給するよう２つに分岐させる場合に適用した構成例が示されている。
【００２３】
この低圧分岐装置は、地表に立設された鋼管１０と、この鋼管１０の上端部に固定されて支持された分岐ボックス３とを有して構成されている。分岐ボックス３は、底部１１ａを有するベース部材１１とこのベース部材１１に着脱可能に取り付けられるカバー部材１２とにより構成され、内部に略直方体形状の収容空間αが形成されている。ベース部材１１の底部１１ａには、長手方向で略対称となる２箇所に同形の通孔（この例ではほぼ同じ径に形成された円形状の孔）１３ａ，１３ｂが形成されている。そして、一方の通孔１３ａに鋼管１０の上端部を挿入し、この上端部に螺合された一対の固定リング１４により通孔１３ａの周縁を上方および下方から挟み込むことで鋼管１０の上端部に分岐ボックス３を固定するようにしている。
【００２４】
鋼管１０に入線された引込線２は鋼管１０の上端から引き出され、引込口配線４，５はベース部材１１の他方の通孔１３ｂを介して挿入されるようになっており、引込線２と引込口配線４，５とは、収容空間αにおいて直接又はヒューズ１５を介して接続されている。具体的には、接地線を除く引込線２は、ヒューズ１５の一端に接続される中継接続体１６に接続され、接地線を除く引込口配線４，５は前記ヒューズ１５の他端に接続され、引込線２の接地線と引込口配線４の接地線は直接接続されている。
【００２５】
引込線２との接続（引込線２と中継接続体１６との接続、引込線２の接地線と引込口配線４の接地線との接続）は、具体的には、図３に示されるように、Ｃ型コネクタから成るかしめ金具１７により導線同士を圧着又は圧縮し、その周囲を絶縁性の保護キャップ１８を被せて絶縁するようにしている。
【００２６】
通孔１３ｂを介して挿通される引込口配線４，５は、通孔１３ｂに取り付けられたブッシング２０を介して挿通されるようになっている。ここで、ブッシング２０は、合成ゴムなどの弾性体からなり、通孔１３ｂの内周縁に内側から係合されているもので、電灯負荷用の引込口配線４を挿通させる挿通孔２０ａと動力負荷用の引込口配線５を挿通させる挿通孔２０ｂとが形成されている。
【００２７】
そして、カバー部材１２は、ベース部材１１の上方に表出された引込線２、引込口配線３、接続構成部材（かしめ金具１７、保護カバー１８）、及びヒューズ１５を覆うように被せられ、ベース部材１１に図示しない封印手段によって固定されている。
【００２８】
また、分岐ボックス３には、その背面に壁面固定用バー２１が設けられ、家屋の壁面に付設できるようになっている。この壁面固定用バー２１は、例えば、ベース部材１１から上方へ一体に延びる金属製又は合成樹脂製のバーによって構成される。
【００２９】
上述の構成において、図１に示されるように、需要家の電力計２２，２３が設けられている部分よりも家屋の壁面βに向かって左側に分岐ボックス３を設置するスペースが確保されている場合には、電力計２２，２３より左側に鋼管１０を立設させ、その上端部に分岐ボックス３を背面が家屋の壁面βと略平行に対峙するように固定する。この際、分岐ボックスの底部には、長手方向で略対称となる２箇所（分岐ボックス３の正面から見て、右側と左側）に同形の通孔１３ａ，１３ｂが形成されているので、電力計２２，２３から離れた側の通孔（正面から見て、左側の通孔）１３ａに鋼管１０を挿入し、固定リング１４によって鋼管１０の上端部に分岐ボックス３を固定する。このような鋼管１０と分岐ボックス３との接続作業は、分岐ボックス３のカバー部材１２を取り外してベース部材１１と鋼管１０とによって行なうもので、鋼管１０への取り付け作業が完了した後に、接地線を除く引込線２と中継接続体１６とをかしめ金具１７により圧着又は圧縮して接続し、この中継接続体１６をヒューズ１５の一端に接続する。また、電力計２２，２３に近い側の通孔（正面から見て、右側の通孔）１３ｂにブッシング２０を取り付け、このブッシング２０の挿入孔２０ａ，２０ｂを介して電灯負荷用の単相３線と動力負荷用の三相３線とを挿通させ、接地線を除いてヒューズ１５の他端に接続する。さらに、引込線２の接地線と引込口配線４，５の接地線とをかしめ金具１７により圧着又は圧縮して直接接続する。
【００３０】
そして、上述の接続作業が完了した後にベース部材の上方に表出している引込線２や引込口配線４，５、ヒューズ１５などを覆うようにカバー部材１２を被せ、このカバー部材１２をベース部材１１に取り付け封印する。
【００３１】
これに対して、図４に示されるように、需要家の電力計２２，２３が設けられている部分よりも家屋の壁面βに向かって右側に分岐ボックス３を設置するスペースが確保されている場合には、電力計２２，２３より右側に鋼管１０を立設させ、その上端部に分岐ボックス３を背面が家屋の壁面βと略平行に対峙するように固定する。この際、分岐ボックス３には、電力計２２，２３から離れた側の通孔（正面から見て、右側の通孔）１３ｂに鋼管１０を挿入し、固定リング１４によって鋼管１０と分岐ボックス３とを固定する。また、電力計２２，２３に近い側の通孔（正面から見て、左側の通孔）１３ａにブッシング２０を取り付け、このブッシング２０の挿入孔２０ａ，２０ｂを介して電灯負荷用の単相３線と動力負荷用の三相３線とを挿通させ、前述したように、引込線２と引込口配線４，５とを直接又はヒューズ１５を介して接続する。
そして、上述の接続作業が完了した後にベース部材の上方に表出している引込線２や引込口配線４，５、ヒューズ１５などを覆うようにカバー部材１２を被せ、このカバー部材１２をベース部材１１に取り付け封印する。
【００３２】
したがって、上述した構成によれば、分岐ボックス３を鋼管１０の上端部に固定するようにしたので、分岐ボックス３を直接建物の壁面に固定する必要が無くなり、家屋の壁面に影響を与えることが無くなる。また、分岐ボックス３に略直方体形状の収容空間αが設けられているので、ヒューズ１５を収容する空間を十分に確保することが可能となる。さらに、引込線２との接続がかしめ金具による圧着又は圧縮にて行なわれるので、従来の金属性の端子接続用バーを省略することが可能となり、軽量化を図ることが可能となる。
【００３３】
また、分岐ボックス３の底部１１ａには、長手方向で略対称となる２箇所に同形の通孔１３ａ，１３ｂが形成され、一方の通孔に鋼管１０を固定可能とし、他方の通孔を介して引込口配線４，５を挿通させるようにしたので、分岐ボックス３の設置箇所に応じて引込口配線４，５を引き出す方向を変更することが可能となり、また、引込口配線４，５は分岐ボックス３の下方から家屋の壁面に沿わして配線されるので、分岐ボックス３の前方へ突出することなくなり、見栄えがよくなると共に、近くを通行する際に引っ掛ける不都合もなくなる。
【００３４】
さらに、鋼管１０はこれに螺合された一対の固定リングにより通孔周縁を挟み込むことで一方の通孔に固定可能とし、引込口配線４，５は他方の通孔に取り付けられたブッシング２０を介して挿通させるようにしたので、配管固定用に利用する通孔と、引込口配線の挿通用に利用する通孔とを逆にする場合でも、固定リング１４で挟み込む通孔とブッシング２０を取り付ける通孔とを逆にすることで対応することが可能となり、施行方法、使用機材の統一化を図ることが可能となる。
【００３５】
しかも、上述の構成によれば、分岐ボックス３は、通孔１３ａ，１３ｂが形成された底部１１ａを有するベース部材１１とこのベース部材１１に着脱可能に取り付けられるカバー部材１２とにより構成されるので、カバー部材１２を取り外すことで引込線２や引込口配線４，５の接続作業、ヒューズ１５の交換作業を行なうことが可能となり、現場での作業が容易となる。
【００３６】
尚、以上の構成は、鋼管１０に分岐ボックス３を直接固定する場合であるが、このような施行が困難であり家屋の壁面βを利用するしかないような場合には、図５に示されるように分岐ボックス３を壁面固定用バー２１を利用して家屋の壁面βに固定するようにしていもよい。
【００３７】
このような構成においては、分岐ボックス３の底部１１ａの一方の通孔を引込線２を分岐ボックス３内に引き入れる孔として利用し、他方の通孔を引込口配線４，５を分岐ボックス３から引き出す孔として利用し、内部でこれら引込線２と引込口配線４，５を前述したように接続すればよい。このような構成としても、引込線との接続にはかしめ金具１７が用いられ、従来用いられた金属性の端子接続用バーが使用されていないので、従来に比べて分岐ボックス３の軽量化は図られており、分岐ボックス３を壁面に付設することによる家屋への影響は少ない。
【００３８】
尚、上述の構成においては、三相４線式の引込線を電灯負荷用の単相３線式と動力負荷用の三相３線式とに分岐させる場合について説明したが、低圧地中配線ケーブルの配電方式が単相３線式である場合に、電灯負荷用に２組の単相３線式又は単相２線式に分岐させる場合や、分岐数を３組以上にする場合などに同様の構成を適用してもよい。
【００３９】
また、上述の構成においては、分岐ボックス３に略直方体形状の収容空間αを設けた例を示したが、上記構成に限定されるものではなく、ヒューズ１５の収容空間を確保するために、所定方向に延びる底部を備えると共にこの底部に臨む収容空間を備えた分岐ボックスであれば、収容空間αや分岐ボックス３の形状を変形させてもよい。
【図面の簡単な説明】
【００４０】
【図１】図１は本発明に係る低圧分岐装置から需要家の電力計に配線する状態を示す構成例であり、図１（ａ）はその正面図、図１（ｂ）は図１（ａ）のＢ−Ｂ線からみた側面図、図１（ｃ）は図１（ａ）のＣ−Ｃ線からみた側面図である。
【図２】図２は図１の低圧分岐装置に用いる分岐ボックスの具体的構成例を示す図であり、図２（ａ）は正面からみた断面図、図２（ｂ）は図２（ａ）のＸ−Ｘ線で切断した断面図、図２（ｃ）は図２（ａ）のＹ−Ｙ線で切断した断面図、図２（ｄ）は図２（ａ）のＺ−Ｚ線で切断した断面図である。
【図３】図３は、引込線との接続部分を示す分解斜視図である。
【図４】図４は本発明に係る低圧分岐装置から需要家の電力計に配線する状態を示す他の構成例である。
【図５】図５は本発明に係る低圧分岐装置から需要家の電力計に配線する状態を示すさらに他の構成例である。
【図６】図６は三相４線式の引込線を電灯負荷用の単相３線と動力負荷用の三相３線とに分岐する構成例を示す図である。
【符号の説明】
【００４１】
１  幹線
２  引込線
３  分岐ボックス
４，５  引込口配線
１０  鋼管
１１  ベース部材
１１ａ  底部
１２  カバー部材
１３ａ，１３ｂ  通孔
１４  固定リング
１５  ヒューズ
２０  ブッシング
２１  壁面固定用バー
α  収容空間
β  壁面
【図１】
2006101582.tif 000003
【図２】
2006101582.tif 000004
【図３】
2006101582.tif 000005
【図４】
2006101582.tif 000006
【図５】
2006101582.tif 000007
【図６】
2006101582.tif 000008